(57)【要約】【課題】断熱性能を確保しつつ簡素な構成の冷房送風装置を提供する。【解決手段】冷房送風装置１の送風ユニット３は、蒸発器を通過した空気を送風する第１ファン３６と、凝縮器を通過した空気を送風する第２ファン３７とを備える。送風ユニット３は第１ファン３６と第２ファン３７とが接続された回転軸３５ａを有するモータ３５を備える。送風ユニット３は、モータ３５および筐体１０に固定されているブラケットを有する、ブラケットは、モータ３５の軸方向に交差する方向に２分割されたうちの一方である第１ブラケット３３と、他方である第２ブラケット３４とを有する。送風ユニット３は、第１ファン３６および第２ファン３７を収容し、ブラケットと固定されるケーシング３０を備える。ケーシング３０は、発泡性樹脂により形成され、上下方向ＶＤに２分割されたうちの一方である第１ケーシング３１と、他方である第２ケーシング３２とを有する。【選択図】図８
2018138856.tif 000002
【特許請求の範囲】
【請求項１】
蒸発器（２１）と凝縮器（２４）と圧縮機（２３）と送風装置（３）とを筐体（１０）内に有し、前記蒸発器を通過した空気を前記送風装置によって外部に送風する冷房送風装置であって、
前記送風装置は、
前記蒸発器を通過した空気を送風する第１ファン（３６）と、
前記凝縮器を通過した空気を送風する第２ファン（３７）と、
前記第１ファンが一端側に接続され、前記第２ファンが他端側に接続された軸部（３５ａ）を有し、前記第１ファンおよび前記第２ファンを回転駆動するモータ（３５）と、
前記モータと一体に結合されて前記筐体に固定されているブラケットであって、前記モータの軸方向に交差する方向に２分割されたうちの一方である第１ブラケット（３３）と、他方である第２ブラケット（３４）と、を有するブラケット（３３、３４）と、
前記第１ファンおよび前記第２ファンを収容し、前記ブラケットと固定されるケーシングであって、発泡性樹脂により形成され、前記軸方向に交差する方向に２分割されたうちの一方である第１ケーシング（３１）と、他方である第２ケーシング（３２）と、を有するケーシング（３０）と、を備える冷房送風装置。
【請求項２】
前記筐体は、幅方向において向かい合う一対の側面板（１２、１３）を有し、
前記第１ブラケットは、
一対の前記側面板において、前記幅方向と直交し且つ上下方向と直交する方向である奥行方向における中央に橋渡しする部材であり、
一対の前記側面板のそれぞれの上端に載せた状態で固定される上部固定部（３３ａ）を有する請求項１に記載の冷房送風装置。
【請求項３】
前記筐体は、幅方向において向かい合う一対の側面板（１２、１３）を有し、
前記第１ブラケットは、前記側面板の内面に固定される側面固定部（３３ｂ）を有する請求項１または請求項２に記載の冷房送風装置。
【請求項４】
前記第２ブラケットは、前記第２ケーシングと一体成形されている請求項１から請求項３のいずれか１項に記載の冷房送風装置。
【請求項５】
前記モータは、軸部を保持するロータと、前記ロータを収容する円筒状のモータケース（３５ｂ）とを有し、
前記モータケースは、外周面において径外方向に突出するフランジ部（３５ｃ）を有し、
前記第１ブラケットおよび第２ブラケットは、前記モータを上方と下方から挟み込んだ状態で前記フランジ部にそれぞれ固定されて前記モータと一体に結合されている請求項１から請求項４のいずれか１項に記載の冷房送風装置。
【請求項６】
前記ケーシングは、前記第１ファンを収容する第１ファン収容部（３０ａ）と、前記第２ファンを収容する第２ファン収容部（３０ｃ）と、を有し、
前記第１ケーシングは、前記第２ファン収容部において前記第２ケーシングと嵌合する部分である第１嵌合部（３１５）を有し、
前記第２ケーシングは、前記第２ファン収容部において前記第１嵌合部と嵌合する第２嵌合部（３２５）を有し、
前記第１嵌合部は、２列互い違いに並ぶ複数の第１凸部（３１５ａ）と複数の第１凹部（３１５ｂ）とを有し、
前記第２嵌合部は、２列互い違いに並ぶ複数の第２凸部（３２５ａ）と、複数の第２凹部（３２５ｂ）とを有し、
前記第１凸部は前記第２凹部と嵌合し、前記第１凹部は、前記第２凸部と嵌合する請求項１から請求項５のいずれか１項に記載の冷房送風装置。
【発明の詳細な説明】
【技術分野】
【０００１】
この明細書における開示は、冷房送風装置に関する。
【背景技術】
【０００２】
特許文献１には、外装体内に蒸発器、凝縮器、圧縮機、送風装置等が収容される冷房機が開示されている。送風装置は、複数のファンケースと、これらファンケース内にそれぞれ収容されたシロッコファンにてなる複数の送風ファンと、これら送風ファンを駆動する単一のモータとを、左右一対の上部連結具と下部連結具を用いてユニット化して構成したものであり、天板を外した状態の外装体の上面開放部から熱交換室に出し入れ可能に組み込まれるものである。また、上部連結具と下部連結具は、それらの両端部がファンケースにそれぞれ取り付けられ、この状態でモータは両ファンケースに挟持されている。
【先行技術文献】
【特許文献】
【０００３】
【特許文献１】特開平５−２４０４５９号公報
【発明の概要】
【発明が解決しようとする課題】
【０００４】
特許文献１の冷房機における送風装置では、蒸発器を通過した空気が送風装置内部を通過することで結露が発生する。このため、送風装置の断熱性能を確保する必要がある。また、特許文献１では１つの送風ファンを収容するファンケースともう一つの送風ファンを収容するファンケースとを連結してユニット化するため、部品点数が多く構成が複雑になる。
【０００５】
開示される目的は、断熱性能を確保しつつ簡素な構成の冷房送風装置を提供することである。
【課題を解決するための手段】
【０００６】
この明細書に開示された複数の態様は、それぞれの目的を達成するために、互いに異なる技術的手段を採用する。また、特許請求の範囲およびこの項に記載した括弧内の符号は、ひとつの態様として後述する実施形態に記載の具体的手段との対応関係を示す一例であって、技術的範囲を限定するものではない。
【０００７】
開示された冷房送風装置のひとつは、蒸発器（２１）と凝縮器（２４）と圧縮機（２３）と送風装置（３）とを筐体（１０）内に有し、蒸発器を通過した空気を送風装置によって外部に送風する冷房送風装置であって、送風装置は、蒸発器を通過した空気を送風する第１ファン（３６）と、凝縮器を通過した空気を送風する第２ファン（３７）と、第１ファンが一端側に接続され、第２ファンが他端側に接続された軸部（３５ａ）を有し、第１ファンおよび第２ファンを回転駆動するモータ（３５）と、モータと一体に結合されて筐体に固定されているブラケットであって、モータの軸方向に交差する方向に２分割されたうちの一方である第１ブラケット（３３）と、他方である第２ブラケット（３４）と、を有するブラケット（３３、３４）と、第１ファンおよび第２ファンを収容し、ブラケットと固定されるケーシングであって、発泡性樹脂により形成され、軸方向に交差する方向に２分割されたうちの一方である第１ケーシング（３１）と、他方である第２ケーシング（３２）と、を有するケーシング（３０）と、を備える。
【０００８】
この開示によれば、第１ケーシングと第２ケーシングは発泡性樹脂で形成されているため断熱性を有する。また、モータの軸方向に交差する方向に分割された第１ケーシングと第２ケーシングとによって、第１ファン、第２ファン、モータおよびブラケットを一体的に収容することができる。したがって、送風装置を簡素に構成することができる。以上により、断熱性能を確保しつつ簡素な構成の冷房送風装置を提供することができる。
【図面の簡単な説明】
【０００９】
【図１】第１実施形態に係る冷房送風装置の正面斜視図である。
【図２】第１実施形態に係る冷房送風装置の背面斜視図である。
【図３】第１実施形態に係る冷房送風装置の側面図である。
【図４】第１実施形態に係る冷房送風装置の背面図である。
【図５】第１実施形態の冷房送風装置の背面板を外した状態の背面図である。
【図６】第１実施形態の冷房送風装置の上面板を外した状態を示す斜視図である。
【図７】送風ユニットを示す斜視図である。
【図８】送風ユニットの分解斜視図である。
【図９】送風ユニットの第１ケーシングを示す図である。
【図１０】送風ユニットの第２ケーシングを示す図である。
【図１１】図９のＸＩ−ＸＩ断面と図１０のＸＩ−ＸＩ断面との嵌合を示す断面図である。
【図１２】図９のＸＩＩ−ＸＩＩ断面と図１０のＸＩＩ−ＸＩＩ断面との嵌合を示す断面図である。
【図１３】ファン、モータおよびブラケットをケーシングに収容する様子を示す分解斜視図である。
【発明を実施するための形態】
【００１０】
（第１実施形態）
第１実施形態の冷房送風装置について、図１〜図１３を参照して説明する。各図には、冷房送風装置１の上下方向ＶＤ、幅方向ＷＤ、奥行方向ＤＤが図示されている。上下方向ＶＤは、冷房送風装置１を床面や地面に設置した場合に、鉛直方向と実質一致する方向である。幅方向ＷＤおよび奥行方向ＤＤは、上下方向ＶＤに垂直な方向である。幅方向ＷＤと奥行方向ＤＤは、互いに垂直な方向である。
【００１１】
冷房送風装置１は、冷房対象とする人、物等に対して冷房風を送風することで局所的な冷房を提供する所謂スポットクーラである。冷房送風装置１は、使用する場所の床面や地面に載置された状態で使用される。冷房送風装置１は、車輪部７０によって使用者がその載置場所を容易に移動させることが可能となっている。冷房送風装置１は、使用者の所望の場所において冷房を提供することができるスポットクーラである。図２に示すように、冷房送風装置１は、冷凍サイクルを提供するための複数の冷凍サイクル機能部品と、冷凍サイクルによって冷却された空気を冷房風として送風する送風ユニット３と、複数の冷凍サイクル機能部品および送風ユニット３を収容するための筐体１０とを有する。
【００１２】
筐体１０は、例えば上下方向ＶＤに長い略直方体状の箱体である。筐体１０は、図１〜図５に示すように、上下方向ＶＤおよび奥行方向ＤＤに平行な外装面を有する２つの側面板１２、１３と、上下方向ＶＤおよび幅方向ＷＤに平行な外装面を有する背面板１４とを有する。側面板１２と側面板１３は、幅方向ＷＤにおいて向かい合う一対の金属製の板部材である。側面板１２は、上端に内側に向かって折り曲げられた折曲部１２ａを有する。側面板１３は、側面板１２と同様に、上端に内側に向かって折り曲げられた折曲部１３ａを有する。折曲部１２ａ、１３ａは、それぞれ外装面に対して略直角に折り曲げられている。筐体１０は、背面板１４と奥行方向ＤＤにおいて反対側の面に、吸込部１６を有する。吸込部１６は、外部の空気が筐体１０内部に吸い込まれる際に通過する部分である。吸込部１６は、例えば塵、埃等の異物を補足するフィルタによって提供される。筐体１０の上面は、上面板１１によって覆われている。筐体１０の下面は、ベース部１５によって覆われている。
【００１３】
上面板１１は、例えば金属製の板部材によって形成されている。上面板１１は、筐体１０内に吸い込まれた空気が吹き出される開口部が２つ設けられている。２つの開口部のうち一方は、蒸発器２１を通過した空気が吹き出される第１開口部である。第１開口部には、例えばダクト４０が接続されている。したがって、第１開口部を通過した空気はダクト４０の内部を通過して外部へと吹き出されるようになっている。ダクト４０は、例えば蛇腹状に構成されており、その吹出向きを自在に変えることができる。ダクト４０は、その吹出向きを周期的に自動で変更可能な首振り機構を有していてもよい。また、第１開口部およびダクトは複数設けられていてもよい。２つの開口部のうち他方は、凝縮器２４を通過した空気が吹き出される第２開口部１１ｂである。第２開口部１１ｂは、冷凍サイクルユニットで発生した排熱を外部へと放出するための放出口である。
【００１４】
冷凍サイクルユニットは、複数の冷凍サイクル機能部品を有する。複数の冷凍サイクル機能部品とは、例えば蒸発器２１、凝縮器２４、圧縮機２３、アキュムレータ２２、キャピラリチューブ等である。複数の冷凍サイクル機能部品は、配管によって環状に接続されており、冷媒が循環可能となっている。
【００１５】
蒸発器２１は、吸込部１６に奥行方向ＤＤにおいて隣接して設けられ、吸込部１６を通過した直後の空気が通過可能となるように配置されている。蒸発器２１には、吸込部１６の上部を通過した空気が通過する。凝縮器２４は、蒸発器２１と上下方向ＶＤに並んで配置されている。凝縮器２４は、蒸発器２１の下方に設けられている。凝縮器２４および蒸発器２１は、その厚み方向が奥行方向ＤＤと一致する向きで、上下方向ＶＤに並んで設けられている。凝縮器２４および蒸発器２１は、吸込部１６に隣接して筐体１０内に収容されている。凝縮器２４には、吸込部１６の下部から吸い込まれた空気が通過する。圧縮機２３は、ベース部１５に固定されて設けられている。アキュムレータ２２は、圧縮機２３に固定されて設けられている。
【００１６】
タンク６０は、蒸発器２１において結露により発生した水を貯留する貯留部である。タンク６０は、例えば樹脂によって形成されている。タンク６０は、箱体状に形成されている。タンク６０は、ベース部１５に載置されて冷房送風装置１に収容される。タンク６０は、仕切部１７およびベース部１５によって区画された収容空間に収容される。タンク６０は、使用者が把持するための把持部６２を有する。タンク６０は、使用者が容易に収容空間から取り出したり収容空間に収容したりすることが可能である。タンク６０は、タンク取出開口部１９から収容空間の外部に取り出される。タンク６０は、タンク取出開口部１９から収容空間に収容される。タンク取出開口部１９は、ベース部１５および仕切部１７の奥行方向ＤＤにおける手前側の端部によって形成される。ここで手前側とは、冷房送風装置１において吸込部１６を正面視した際の手前側である。
【００１７】
ベース部１５は、例えば金属製の板部材によって形成されている。ベース部１５の下面には、複数の車輪部７０が取り付けられている。車輪部７０は、使用者が冷房送風装置１を押したり引いたりするなどして移動させるための部材であり、所謂キャスターである。ベース部１５には、圧縮機２３が取り付けられる。ベース部１５には、タンク６０が載置される。ベース部１５には、タンク６０を受けるタンク受け部が設置されている。タンク受け部は、例えばベース部１５に設置された状態において奥行方向ＤＤに延びる板状の金属部材である。タンク受け部は、一方の端部がベース部と接触し、他方の端部がベース部１５から離間するようにばね部材によって持ち上げられた状態でベース部に設置されている。タンク受け部は、タンク６０の荷重によって一方の端部を軸にして下方へと回動する。タンク受け部は、タンク６０の荷重が大きくなるほど他方の端部がより下方に位置するように回動する。ばね部材は、タンク６０内部に水が所定量貯留された際のタンク６０の荷重によってタンク受け部がスイッチ装置のスイッチをオンにするように、その弾性率が調整されている。スイッチ装置のスイッチがオンになると、報知部に報知させるための電気回路に通電が行われる。報知部は、ランプの点灯等の視覚情報またはブザー等の聴覚情報によって報知を行う。
【００１８】
送風ユニット３は、図８に示すように、回転駆動により空気を送風する２つのファンと、２つのファンを回転駆動するモータ３５と、２つのファンを収容するケーシング３０と、モータ３５およびケーシング３０を筐体に対して固定するためのブラケットを有する。送風ユニット３は、上面板１１に隣接して設けられている。送風ユニット３は、吸込部１６から空気を吸い込み外部へと吹き出すための送風装置である。２つのファンのうちの一方は、蒸発器２１を通過する空気を送風する第１ファン３６である。送風ユニット３は、蒸発器２１を通過して冷却された空気を冷房風として送風する。２つのファンのうちの他方は、凝縮器２４を通過する空気を送風する第２ファン３７である。第１ファン３６および第２ファン３７は、例えば遠心多翼ファンによって提供される。または、軸流ファン、斜流ファン等によって提供されてもよい。第１ファン３６と第２ファン３７は、例えばそれぞれの軸方向を奥行方向ＤＤと実質一致させて、奥行方向ＤＤに並ぶようにケーシング３０内に設けられている。第１ファン３６は奥行方向ＤＤにおいて第２ファン３７よりも吸込部１６側に設けられている。第２ファン３７は奥行方向ＤＤにおいて第１ファン３６よりも背面板１４側に設けられている。
【００１９】
モータ３５は、回転軸３５ａと、回転軸３５ａを保持するロータと、ロータを収容する円筒状のモータケース３５ｂとを有する。モータケース３５ｂは、外周面において径外方向に突出するフランジ部３５ｃを有する。モータ３５は、その回転軸３５ａの両端から回転運動を外部に伝達可能な両軸モータである。モータ３５は、回転軸３５ａの一方の端部側に第１ファン３６が取り付けられ、他方の端部側に第２ファン３７が取り付けられている。回転軸３５ａは、特許請求の範囲における軸部に相当する。モータ３５は、回転軸３５ａの軸方向が奥行方向ＤＤと実質一致するように筐体１０内において設けられている。
【００２０】
図７に示すように、ケーシング３０は、第１ファン収容部３０ａと、第２ファン収容部３０ｃと、第１ファン収容部３０ａと第２ファン収容部３０ｃとを接続する接続部３０ｂとを有する。第１ファン収容部３０ａには第１ファン３６が収容される。第２ファン収容部３０ｃには第２ファン３７が収容される。接続部３０ｂは、第１ファン収容部３０ａと第２ファン収容部３０ｃとの間を接続するように奥行方向ＤＤに延びるように形成されている。
【００２１】
接続部３０ｂは例えば複数設けられる。接続部３０ｂは、例えば第１ケーシング３１に１つ設けられ、第２ケーシング３２に２つ設けられる。第１ケーシング３１に設けられた接続部３０ｂは、例えば幅方向ＷＤにおいて第１ファン収容部および第２ファン収容部よりも小さい寸法を有している。第１ケーシング３１に設けられた接続部３０ｂは、第１ケーシング３１の幅方向ＷＤにおける略中央で、上下方向における上部に設けられている。第１ケーシング３１に設けられた接続部３０ｂは、第１ブラケット３３の上端における幅方向ＷＤの中央に形成された切欠き部と嵌合する。第２ケーシング３２に設けられた２つの接続部３０ｂは、第２ケーシング３２の幅方向ＷＤにおける一端側と他端側に１つずつ設けられている。第１ファン収容部３０ａと第２ファン収容部３０ｃとの間には、モータ３５が配置される。３つの接続部３０ｂは、モータ３５と干渉しない位置に形成されている。
【００２２】
ケーシング３０は、第１ファン収容部３０ａの内部に空気を吸い込む第１吸込口３００ａと、第２ファン収容部３０ｃの内部に空気を吸い込む第２吸込口３００ｃとを有する。第１吸込口３００ａは、ケーシング３０の奥行方向ＤＤにおける手前側の面に形成される開口である。第１吸込口３００ａは、蒸発器２１に隣接して設けられ、蒸発器２１を通過した空気を吸い込むことができる。ケーシング３０は、第１吸込口３００ａが形成された面から突出するように第１吸込口３００ａの周囲に形成されている凸条部３０ｄを有する。凸条部３０ｄは、その端部が第１吸込口３００ａが形成されている面よりも蒸発器２１に近接するように設けられている。凸条部３０ｄは、蒸発器２１を通過した空気が第２吸込口３００ｃへと流れることを抑制するフレームである。
【００２３】
第２吸込口３００ｃは、奥行方向ＤＤにおいて第２ファン収容部３０ｃの第１ファン収容部３０ａに近い側の面に形成される開口である。すなわち、第１ファン収容部３０ａと第２ファン収容部３０ｃは、どちらも奥行方向ＤＤにおいて手前側から奥側に空気が向かうように吸い込む。第２吸込口は、凝縮器２４を通過した空気を吸い込む。
【００２４】
ケーシング３０は、第１ファン３６により送風される空気を吹き出す第１吹出口３１０と、第２ファン３７により送風される空気を吹き出す第２吹出口３１１とを有する。第１吹出口３１０は、上面板１１の第１開口部と連通している。第２吹出口３１１は、上面板１１の第２開口部１１ｂと連通している。
【００２５】
ケーシング３０は、上下方向に２分割された構造を有する。第１ケーシング３１は、ケーシング３０の２分割されたうちの上部である。第２ケーシング３２は、ケーシング３０の２分割されたうちの下部である。ケーシング３０は、第１ケーシング３１と第２ケーシング３２とが互いに嵌合することで一体となっている。ケーシング３０は、上下方向において略等分されて第１ケーシング３１と第２ケーシング３２に分割されている。第１ケーシング３１と第２ケーシング３２は、モータ３５を軸方向に交差する方向から挟むように向かい合う。第１ケーシング３１と第２ケーシング３２は、ケーシング３０がモータ３５の軸方向と交差する方向に２分割された一方と他方である。ケーシング３０は、内部に気泡が分散するように発泡成形された合成樹脂である発泡性樹脂で形成されている。このため、ケーシング３０は、発泡性樹脂の有する断熱性により、比較的結露の発生が抑制される構成となっている。また、ケーシング３０は、発泡性樹脂で形成されていることにより比較的軽量に構成されている。
【００２６】
第１ケーシング３１は、第１ファン３６によって送風された空気が吹き出す第１吹出口３１０を有する。第１吹出口３１０は、第１ケーシング３１の第１ファン収容部３０ａを構成する部分に形成される。第１吹出口３１０は、例えば空気がケーシング３０内から上方に向かって吹き出すように、第１ケーシング３１の上部の面に形成されている開口である。第１吹出口３１０は、上面板１１の第１開口部と連通している。第１吹出口３１０から吹き出された空気は、第１開口部を通過して、ダクト４０から冷房対象の人や物等に対して吹き出される。第１ケーシング３１は、第２ファン３７によって送風された空気が吹き出す第２吹出口３１１を有する。第２吹出口３１１は、第１ケーシング３１の第２ファン収容部３０ｃを構成する部分に形成される。第２吹出口３１１は、例えば第１吹出口３１０と同様に、空気がケーシング３０内から上方に向かって吹き出すように第１ケーシング３１の上部の面に形成されている開口である。第２吹出口３１１は、上面板１１の第２開口部１１ｂと連通している。第２吹出口３１１から吹き出された空気は、第２開口部１１ｂを通過して筐体１０の外部へと吹き出される。
【００２７】
第１ケーシング３１は、図９に示すように、ケーシング３０の第２ファン収容部３０ｃを構成する部分に、第２ケーシング３２と嵌合する第１嵌合部３１５を有する。第１嵌合部３１５は、第２ファン収容部３０ｃを構成する部分における第２吸込口３００ｃの一部が形成された壁部と奥行方向ＤＤで対向する壁部に形成されている。第１嵌合部３１５は、複数の凸部３１５ａと複数の凹部３１５ｂとが２列互い違いに並んでいる。すなわち、第１嵌合部３１５は、幅方向に凸部３１５ａと凹部３１５ｂが交互に並ぶ列が、壁部の厚み方向に隣接して２列形成されている。そして、一方の列における凸部３１５ａと凹部３１５ｂの並びは、他方の列における凸部３１５ａと凹部３１５ｂの並びと互い違いになっている。凸部３１５ａは、特許請求の範囲における第１凸部に相当し、凹部３１５ｂは、特許請求の範囲における第１凹部に相当する。
【００２８】
第２ケーシング３２は、第２ブラケット３４との一体成形品である。例えば、第２ケーシング３２は、インサート成形によって金属製の第２ブラケット３４と一体成形されている。第２ケーシング３２は、図１０に示すように、ケーシング３０の第２ファン収容部３０ｃを構成する部分に、第１ケーシング３１の第１嵌合部３１５と嵌合する第２嵌合部３２５を有する。第２嵌合部３２５は、複数の凸部３２５ａと複数の凹部３２５ｂとが第１嵌合部３１５と同様に２列互い違いに並んでいる。すなわち、第２嵌合部３２５は、幅方向ＷＤに凸部３２５ａと凹部３２５ｂが交互に並ぶ列が、第２ファン収容部３０ｃを構成する部分における第２吸込口３００ｃの一部が形成された壁部と奥行方向ＤＤで対向する壁部の厚み方向に隣接して２列形成されている。そして、一方の列における凸部３２５ａと凹部３２５ｂの並びは、他方の列における凸部３２５ａと凹部３２５ｂの並びと互い違いになっている。さらに、第２嵌合部３２５の凸部３２５ａは、第１嵌合部３１５側の凹部３１５ｂと嵌合するように設けられている。第２嵌合部３２５の凹部３２５ｂは、第１嵌合部３１５側の凸部３１５ａと嵌合するように設けられている。
【００２９】
すなわち、第１嵌合部３１５と第２嵌合部３２５との嵌合部分は、図１１に示すように、第２ファン収容部３０ｃの内側において第１嵌合部３１５の凹部３１５ｂと第２嵌合部３２５の凸部３２５ａとが嵌合し、第１ファン収容部３０ａの外側において第１嵌合部３１５の凸部３１５ａと第２嵌合部の凹部３２５ｂとが嵌合する部分を有する。さらに、第１嵌合部３１５と第２嵌合部３２５との嵌合部分は、図１２に示すように、第２ファン収容部３０ｃの内側において第１嵌合部３１５の凸部３１５ａと第２嵌合部３２５の凹部３２５ｂとが嵌合し、これと奥行方向ＤＤで隣接して第２ファン収容部３０ｃの外側において第１嵌合部３１５の凹部３１５ｂと第２嵌合部３２５の凸部３２５ａとが嵌合する。凸部３２５ａは、特許請求の範囲における第２凸部に相当し、凹部３２５ｂは、特許請求の範囲における第２凹部に相当する。
【００３０】
第１嵌合部３１５と第２嵌合部３２５との嵌合により、第２ファン収容部３０ｃにおける第２吸込口３００ｃが形成された壁部と奥行方向ＤＤで対向する壁部は、送風される空気が漏れることを効果的に抑制することができる。例えば幅方向ＷＤの全体にわたって連続した凸部と、連続した凹部による嵌合の場合と比較して、第１嵌合部３１５と第２嵌合部３２５との嵌合は、凸部と凹部とが交互に並んでいるため、歪み等の影響による隙間の大きさが抑制されやすい。
【００３１】
ブラケットは、モータ３５のフランジ部３５ｃと固定されている。ブラケットは、ケーシング３０と固定されている。ブラケットは、筐体１０と固定されている。ブラケットは、モータ３５を筐体１０およびケーシング３０に対して固定するための部材である。ブラケットは、上下方向に２分割されたうちの上部である第１ブラケット３３と、上下方向に２分割された内の下部である第２ブラケット３４とを有する。第１ブラケット３３および第２ブラケット３４は、例えば金属製の板材から形成されている。
【００３２】
第１ブラケット３３は、モータ３５のフランジ部３５ｃの上部と固定されてモータ３５と一体に結合されている。第１ブラケット３３は、ネジ等の締結具によってフランジ部３５ｃに固定されている。第１ブラケット３３は、幅方向ＷＤおよび上下方向ＶＤに平行に広がる板状部３３０を有する。第１ブラケット３３は、板状部３３０の上端に、板状部３３０に対して屈曲した上端屈曲部３３ａを有する。上端屈曲部３３ａは、板状部３３０に対して略直角に屈曲している。したがって、上端屈曲部３３ａは、幅方向ＷＤおよび奥行方向ＤＤに平行に広がる板状の部分である。図６に示すように、上端屈曲部３３ａは、その幅方向ＷＤの端部にて２つの側面板１２、１３のそれぞれの折曲部１２ａ、１３ａに固定される。上端屈曲部３３ａは、折曲部１２ａ、１３ａの上面に載置された状態で固定されている。上端屈曲部３３ａは、例えばネジ等の締結具によって折曲部１２ａ、１３ａに固定される。上端屈曲部３３ａは、側面板１２、１３の奥行方向ＤＤにおける中央にて固定される。したがって、第１ブラケット３３は、一対の側面板１２、１３の奥行方向ＤＤにおける中央に橋渡ししている。上端屈曲部３３ａは、特許請求の範囲における上部固定部に相当する。
【００３３】
第１ブラケット３３は、板状部３３０の幅方向ＷＤにおける両端に、板状部３３０に対して屈曲した側端屈曲部３３ｂを有する。側端屈曲部３３ｂは、板状部３３０に対して略直角に屈曲している。したがって、側端屈曲部３３ｂは、奥行方向ＤＤおよび上下方向ＶＤに平行に広がる板状の部分である。側端屈曲部３３ｂは、図６に示すように２つの側面板１２、１３のそれぞれの内面に固定されている。側端屈曲部３３ｂは、例えばネジ等の締結具によって固定されている。なお、図６では側面板１３側の側端屈曲部３３ｂのみ透視して図示している。側端屈曲部３３ｂは、特許請求の範囲における側面固定部に相当する。
【００３４】
第１ブラケット３３は、板状部３３０の下端に、板状部３３０に対して屈曲した下端屈曲部３３ｃを有する。下端屈曲部３３ｃは、板状部３３０に対して略直角に屈曲している。したがって、下端屈曲部３３ｃは、幅方向ＷＤおよび奥行方向ＤＤに平行に広がる板状の部分である。下端屈曲部３３ｃは、第２ブラケット３４に対して、例えばネジ等の締結具によって固定されている。
【００３５】
第２ブラケット３４は、モータ３５のフランジ部３５ｃの下部と固定されてモータ３５と一体に結合されている。第２ブラケット３４は、ネジ等の締結具によってフランジ部３５ｃに固定されている。第２ブラケット３４は、幅方向ＷＤおよび上下方向ＶＤに平行に広がる板状部３４０を有する。第２ブラケット３４は、板状部３４０の上端に、板状部３４０に対して屈曲した上端屈曲部３４ａを有する。上端屈曲部３４ａは、板状部３４０に対して略直角に屈曲している。したがって、上端屈曲部３４ａは、幅方向ＷＤおよび奥行方向ＤＤに平行に広がる板状の部分である。上端屈曲部３４ａは、その上面が第１ブラケット３３の下端屈曲部３３ｃの下面と接触した状態で下端屈曲部３３ｃと固定されている。第２ブラケット３４は、第２ケーシング３２と一体成形されて第２ケーシング３２に対して固定されている。
【００３６】
送風ユニット３は、例えば以下の工程により組み立てられる。すなわち、図１３に示すように、第１ケーシング３１と、第２ブラケット３４および第２ケーシング３２の一体成形品と、回転軸３５ａの両端に２つのファン３６、３７が取り付けられるとともにフランジ部３５ｃに第１ブラケット３３が固定されたモータ３５とを準備する。次に、第２ブラケット３４の上端屈曲部３４ａと、第１ブラケット３３の下端屈曲部３３ｃとを固定する。次に、モータ３５の下部を収容した状態の第２ケーシング３２に、第１ケーシング３１を上方から嵌合させて取り付ける。以上により、送風ユニット３を組み立てることができる。組み立てられた送風ユニット３は、側面板１２、１３の折曲部１２ａ、１３ａ、および内面に第１ブラケット３３が固定されることで、筐体１０に対して取り付けられる。
【００３７】
次に第１実施形態の冷房送風装置１がもたらす作用効果について説明する。第１実施形態の冷房送風装置１は、蒸発器２１と凝縮器２４と圧縮機２３と送風ユニット３とを筐体１０内に有し、蒸発器２１を通過した空気を送風ユニット３によって外部に送風する。送風ユニット３は、蒸発器２１を通過した空気を送風する第１ファン３６と、凝縮器２４を通過した空気を送風する第２ファン３７とを備える。送風ユニット３は、第１ファン３６が一端側に接続され、第２ファン３７が他端側に接続された回転軸３５ａを有し、第１ファン３６および第２ファン３７を回転駆動するモータ３５を備える。送風ユニット３は、モータ３５と一体に結合されて筐体１０に固定されているブラケットであって、モータ３５の軸方向に交差する方向に２分割されたうちの一方である第１ブラケット３３と、他方である第２ブラケット３４とを有するブラケットを備える。送風ユニット３は、第１ファン３６および第２ファン３７を収容し、ブラケットと固定されるケーシング３０を備える。ケーシング３０は、発泡性樹脂により形成され、モータ３５の軸方向に交差する方向に２分割されたうちの一方である第１ケーシング３１と、他方である第２ケーシング３２とを有する。
【００３８】
これによれば、モータ３５の軸方向に交差する方向に分割された第１ケーシング３１と第２ケーシング３２とによって、第１ファン３６、第２ファン３７、モータ３５およびブラケットを一体的に収容することができる。これにより、簡素な構成の送風装置を提供することができる。また、ケーシング３０が発泡性樹脂で形成されているため、送風装置の断熱性を確保することができる。以上により、断熱性能を確保しつつ簡素な構成の冷房送風装置１を提供することができる。
【００３９】
筐体１０は、幅方向ＷＤにおいて向かい合う一対の側面板１２、１３を有する。第１ブラケット３３は、一対の側面板１２、１３の中央において、奥行方向ＤＤにおける中央に橋渡しする部材であり、一対の側面板１２、１３のそれぞれの上端に載せた状態で固定される上端屈曲部３３ａを有する。これによれば、第１ブラケット３３の上端屈曲部３３ａによって、送風ユニット３を側面板１２の上端から吊るすようにして固定できる。したがって、送風ユニット３をより安定して筐体１０に対して固定することができる。
【００４０】
第１ブラケット３３は、側面板１２、１３の内面に固定される側端屈曲部３３ｂを有する。これによれば、第１ブラケットを側面板の側面においても固定できるため、送風ユニット３をより安定して筐体１０に対して固定することができる。
【００４１】
第２ブラケット３４は、第２ケーシング３２と一体成形されている。これによれば、第２ブラケット３４と第２ケーシング３２とを、一体成形品として提供できるため、送風ユニット３の組み立て工数を低減することができる。
【００４２】
モータ３５は、回転軸３５ａを保持するロータと、ロータを収容する円筒状のモータケースとを有し、モータケースは、外周面において径外方向に突出するフランジ部３５ｃを有する。第１ブラケット３３および第２ブラケット３４は、モータ３５を上方と下方から挟み込んだ状態でフランジ部３５ｃにそれぞれ固定されてモータ３５と一体に結合されている。
【００４３】
これによれば、モータ３５を第１ブラケット３３および第２ブラケット３４に組み付ける際に、上下方向ＶＤに組み付けることができる。したがって、送風ユニット３の組み立てにおいて、第１ケーシング３１、第２ケーシング３２、第１ブラケット３３、第２ブラケット３４、モータ３５を、同じ組み立て方向で組み立てることができる。これにより、より簡単に送風ユニット３を組み立てることができる。
【００４４】
ケーシング３０は、第１ファン３６を収容する第１ファン収容部３０ａと、第２ファン３７を収容する第２ファン収容部３０ｃと、を有する。第１ケーシング３１は、第２ファン収容部３０ｃにおいて第２ケーシング３２と嵌合する部分である第１嵌合部３１５を有し、第２ケーシング３２は、第２ファン収容部３０ｃにおいて第１嵌合部３１５と嵌合する第２嵌合部３２５を有する。第１嵌合部３１５は、２列互い違いに並ぶ複数の凸部３１５ａと複数の凹部３１５ｂとを有する。第２嵌合部３２５は、２列互い違いに並ぶ複数の凸部３２５ａと、複数の凹部３２５ｂとを有する。凸部３１５ａは凹部３２５ｂと嵌合し、凹部３１５ｂは、凸部３２５ａと嵌合する。
【００４５】
これによれば、第１ケーシング３１と第２ケーシング３２とを、凸部と凹部によって互い違いに嵌合させることができるため、送風される空気がこの嵌合部分からケーシング３０外部に漏れることを抑制することができる。例えば嵌合している部分に歪みが発生した場合であっても歪みによって第１嵌合部と第２嵌合部との間の隙間が大きくなることを抑制することができる。
【００４６】
（他の実施形態）
この明細書の開示は、例示された実施形態に制限されない。開示は、例示された実施形態と、それらに基づく当業者による変形態様を包含する。例えば、開示は、実施形態において示された部品、要素の組み合わせに限定されず、種々変形して実施することが可能である。開示は、多様な組み合わせによって実施可能である。開示は、実施形態に追加可能な追加的な部分をもつことができる。開示は、実施形態の部品、要素が省略されたものを包含する。開示は、ひとつの実施形態と他の実施形態との間における部品、要素の置き換え、または組み合わせを包含する。開示される技術的範囲は、実施形態の記載に限定されない。開示されるいくつかの技術的範囲は、特許請求の範囲の記載によって示され、さらに特許請求の範囲の記載と均等の意味および範囲内での全ての変更を含むものと解されるべきである。
【００４７】
上述の実施形態において、第２ブラケット３４は第２ケーシング３２と一体成形されている。これに代えて、第２ブラケット３４と第２ケーシング３２とが別部品として成形され、ネジ等の固定具によって固定される構成であってもよい。
【００４８】
上述の実施形態において、第１ブラケット３３が筐体１０と固定されるとしたが、第２ブラケット３４が筐体１０と固定される構成であってもよい。
【００４９】
上述の実施形態において、冷房送風装置１は、車輪部７０によって使用者が所望の場所に容易に移動できる構成であるとした。これに代えて、冷房送風装置は、車輪部７０を有さない所謂据え置き型の装置であってもよい。
【符号の説明】
【００５０】
１０  筐体、  １２、１３  側面板、  ２１  蒸発器、  ２３  圧縮機、  ２４  凝縮器、  ３  送風ユニット（送風装置）、  ３０  ケーシング、  ３０ａ  第１ファン収容部、  ３０ｃ  第２ファン収容部、  ３１  第１ケーシング、  ３１５  第１嵌合部、  ３１５ａ  凸部（第１凸部）、  ３１５ｂ  凹部（第１凹部）、  ３２  第２ケーシング、  ３２５  第２嵌合部、  ３２５ａ  凸部（第２凸部）、  ３２５ｂ  凹部（第２凹部）、３３、３４  ブラケット、  ３３  第１ブラケット、  ３３ａ  上端屈曲部（上部固定部）、  ３３ｂ  側端屈曲部（側面固定部）、  ３４  第２ブラケット、  ３５  モータ、  ３５ａ  回転軸（軸部）、  ３５ｂ  モータケース、  ３５ｃ  フランジ部、  ３６  第１ファン、  ３７  第２ファン。
【図１】
2018138856.tif 000003
【図２】
2018138856.tif 000004
【図３】
2018138856.tif 000005
【図４】
2018138856.tif 000006
【図５】
2018138856.tif 000007
【図６】
2018138856.tif 000008
【図７】
2018138856.tif 000009
【図８】
2018138856.tif 000010
【図９】
2018138856.tif 000011
【図１０】
2018138856.tif 000012
【図１１】
2018138856.tif 000013
【図１２】
2018138856.tif 000014
【図１３】
2018138856.tif 000015